(57)【要約】      （修正有）【課題】  煙浄化の必要のない調理メニューの加熱調理中においては、アフターバーナを燃焼させないようにして、省エネを図ることが出来るグリルを提供する。【解決手段】  点火操作が行われると、調理バーナを点火するとともに、設定されている調理メニューが魚調理であればアフターバーナ４を点火し、魚調理以外であればアフターバーナ４に点火しないようにする。調理途中で強制浄化スイッチ３６がオン、あるいは調理メニューが魚調理に変更された場合には、アフターバーナ４を点火する。  アフターバーナ４が燃焼中は浄化ランプ３７を点灯し、浄化機能の作動状態を使用者に報知する。  自動調理が完了すると、全てのバーナを消火し浄化ランプ３７も消灯する。【選択図】    図３
2006055185.tif 000002
【特許請求の範囲】
【請求項１】
被調理物を加熱する主加熱手段と、調理メニューを選択する手段と、上記調理メニューに応じて被調理物の加熱を制御する加熱制御手段とを備えたグリルにおいて、
被調理物から発生する煙を浄化する煙浄化手段と、
上記選択された調理メニューに応じて、上記煙浄化手段の作動を制御する浄化制御手段とを備えたことを特徴とするグリル。
【請求項２】
上記煙浄化手段は、被調理物から発生した煙を焼いて消失させるアフターバーナと、上記アフターバーナの燃焼により加熱されて活性化する触媒フィルタとを備え、
上記浄化制御手段は、選択された調理メニューに応じて、上記アフターバーナの燃焼を制御することを特徴とする請求項１記載のグリル。
【請求項３】
上記選択された調理メニューにかかわらず、強制的に上記煙浄化手段を作動させる強制煙浄化スイッチを備えたことを特徴とする請求項１または２記載のグリル。
【請求項４】
上記アフターバーナが燃焼中は、その旨を報知する表示手段を備えたことを特徴とする請求項２または３記載のグリル。
【発明の詳細な説明】
【技術分野】
【０００１】
本発明は、被調理物から発生した煙を浄化するグリルに関する。
【背景技術】
【０００２】
従来から、被調理物から発生した煙を、排気通路に設けたアフターバーナと触媒フィルタとにより浄化して無臭無煙化するグリルが知られている（例えば特許文献１）。
こうした無臭無煙グリルにおいては、調理用バーナと同時にアフターバーナが燃焼し、加熱調理中は常にアフターバーナにより煙を浄化している。
【特許文献１】特許第２６１２８２６号
【発明の開示】
【発明が解決しようとする課題】
【０００３】
一般に、グリル調理においては、その調理メニューによって煙の発生状態が異なってくる。例えば、魚焼調理では油煙を大量に発生するが、グラタンやピザといった調理では調理が完了する前にはほとんど煙が発生しない。
ところが、従来の無臭無煙グリルでは、煙の発生状況に関係なく調理中は常にアフターバーナを燃焼させているため、魚焼調理では有効であるものの、グラタンやピザといった調理では、無駄に燃焼していることになり、燃料の無駄使い、調理室の温度上昇といった問題が生じる。
そこで本発明のグリルは上記課題を解決し、調理メニューが予め設定されるグリルにおいて、調理中に煙をほとんど発生しない調理時においては、煙浄化機能を解除して省エネを図るとともに、調理室の温度上昇といった環境悪化も低減することを目的とする。
【課題を解決するための手段】
【０００４】
上記課題を解決する本発明の請求項１記載のグリルは、
被調理物を加熱する主加熱手段と、調理メニューを選択する手段と、上記調理メニューに応じて被調理物の加熱を制御する加熱制御手段とを備えたグリルにおいて、
被調理物から発生する煙を浄化する煙浄化手段と、
上記選択された調理メニューに応じて、上記煙浄化手段の作動を制御する浄化制御手段とを備えたことを要旨とする。
【０００５】
上記課題を解決する本発明の請求項２記載のグリルは、更に、
上記煙浄化手段は、被調理物から発生した煙を焼いて消失させるアフターバーナと、上記アフターバーナの燃焼により加熱されて活性化する触媒フィルタとを備え、
上記浄化制御手段は、選択された調理メニューに応じて、上記アフターバーナの燃焼を制御することを要旨とする。
【０００６】
上記課題を解決する本発明の請求項３記載のグリルは、更に、
上記選択された調理メニューにかかわらず、強制的に上記煙浄化手段を作動させる強制煙浄化スイッチを備えたことを要旨とする。
【０００７】
上記課題を解決する本発明の請求項４記載のグリルは、更に、
上記アフターバーナが燃焼中は、その旨を報知する表示手段を備えたことを要旨とする。
【発明の効果】
【０００８】
上記構成を有する本発明のグリルによれば、選択された調理メニューに応じて被調理物の加熱を制御するだけでなく、煙浄化機能の作動を制御する。つまり、調理中に煙がほとんど発生しないような調理メニューが選択された場合には、煙浄化手段の作動を停止あるいは弱めることで、煙浄化に必要なエネルギーを節約することができる。
また、煙浄化手段を作動させるときに発生する熱の放出も防止され、排気温度の上昇による調理室の温度上昇といった環境の悪化も低減する。
【０００９】
特に、請求項２に係る発明のように、煙浄化手段をアフターバーナと触媒フィルタとで構成した場合には、被調理物から煙が発生しなくても、アフターバーナ自身の発生する排気の影響で、室内の環境悪化（室温上昇、室内空気の汚染）が懸念されるが、アフターバーナの無駄な燃焼を停止させることで、こうした問題も解決できる。
【００１０】
更に、使用者によっては、あるいは使用環境によっては、どうしても煙浄化機能を働かせたいというケースもあり、そうしたケースでは、請求項３に係る発明のように、調理メニューにかかわらず、強制的に煙浄化手段を作動させる強制煙浄化スイッチを操作することにより、随時、煙浄化機能が得られる。
この結果、調理メニューに応じて自動的に煙浄化機能が切り替わっても、使用者の好み、使用環境、調理方法に柔軟に対応させることができる。
【００１１】
また、アフターバーナは、排気通路に設けられるため燃焼状態を視認することができず、特に調理メニューに応じて作動させる場合には、煙浄化機能が働いているのか否か判りにくい。そこで、請求項４に係る発明では、アフターバーナの燃焼中には、その旨を表示することで、使用者にとって作動状況が判りやすくなり使い勝手が良い。特に、強制煙浄化スイッチを使用する際には、この表示器が有効なものとなる。
【発明を実施するための最良の形態】
【００１２】
以上説明した本発明の構成、作用を一層明らかにするために、以下、本発明のグリルにおける好的な実施形態について説明する。
【実施例１】
【００１３】
図１は、一実施例としてのガスグリルを搭載したガスビルトインコンロの概略斜視図であり、図２は、ガスグリルの側断面概略構成図である。
【００１４】
図１に示すビルトインコンロは、キッチンカウンターに組み込まれるもので、トッププレート１００の左右の開口からコンロバーナ１０１を臨ませた２組のコンロ部１０２と、本体の中央に設けられるグリル１とを備える。
本体正面には、魚等の被調理物Ｆを出し入れするグリル扉２を中央に備え、更にその左側には、２組のコンロ部１０２をそれぞれ点火／消火操作するための点消火スイッチ１０２Ｌ、１０２Ｒが、右側には、グリル１の点火／消火操作やメニュー選択等を行う操作表示パネル３が設けられる。
【００１５】
グリル１は、図２に示すように、被調理物Ｆを収納して燃焼空間を形成するグリル庫８と、グリル庫８の上方左右両側に設けられ被調理物Ｆを上方から加熱する上バーナ９ａと、グリル庫８の下方左右両側に設けられ被調理物Ｆを下方から加熱する下バーナ９ｂと、グリル庫８後方左右両側で上バーナ９ａと下バーナ９ｂとの火移りを行う火移りバーナ９ｃと、グリル庫８の中段で被調理物Ｆを載置する焼網１０と、焼網１０を支持するとともに被調理物Ｆから落下する油汁を受ける汁受皿１１と、グリル扉２の下部で汁受皿１１を連結したグリル取手１２とを備える。
以下の説明において、上下、左右、火移りバーナに関して、それらを区別しないときは単に調理バーナ９と呼び、左右を区別するときはその符号末尾にＬ，Ｒを付加する。
【００１６】
グリル庫８の後方には、グリル庫８背面８ａの下部で連通し排気を器具外に排出するための排気ダクト１３が設けられる。この排気ダクト１３は、グリル庫８の背部で縦方向に形成される縦ダクト１３ａと、縦ダクト１３ａの上端から後方に上向き傾斜した傾斜ダクト１３ｂを備え、その後端に排気口１４が形成される。傾斜ダクト１４の上傾斜面には、燃焼面をダクト内に向けた表面燃焼式のアフターバーナ４が設けられる。このアフターバーナ４は、被調理物Ｆから発生した煙を焼き切り消失させ無臭無煙化（煙の浄化）を図るものである。
排気口１４は、トッププレート１００に形成された排気開口１０３に臨んで設けられると共に、その内部に触媒フィルタ１５が装着される。この触媒フィルタ１５は、複数の開口を形成した耐熱性のセラミック板に白金などの酸化触媒を担持させたもので、排気口１４の通路全体を覆うように設けられ、排気上流側近傍に設けられたアフターバーナ４により加熱されて活性化し、煙が触媒フィルタ１５を通過する時に煙を酸化して無臭無煙化を図るものである。
従って、本実施例ではアフターバーナ４と触媒フィルタ１５とで煙浄化部を構成している。
尚、図中において符号１０４は、トッププレート１００の排気開口１０３に装着され、ゴミ等の進入を防止する排気キャップである。
【００１７】
次に、グリルの点火／消火を司る構成について図３を用いて説明する。
器具内に配設されるガス配管は、上流側に主電磁弁２０が設けられ、その下流側で調理バーナ９へのガス供給路とアフターバーナ４へのガス供給路とに分岐される。調理用バーナ９へのガス供給路には流量調整弁（比例弁）２１が設けられ、その下流側で左調理バーナ９Ｌと右調理バーナ９Ｒへの供給路に分岐される。
一方、アフターバーナ４へのガス供給路には、電磁弁２２（以下、浄化用電磁弁と呼ぶ）およびガスガバナ２９が設けられる。
従って、主電磁弁２０が開弁し調理バーナ９へガス供給されている状態に限って、アフターバーナ４へのガス供給が可能となっている。
【００１８】
左右の上バーナ９ａＬ、９ａＲには、燃料ガスに火花放電をおこなって点火する点火器２４Ｌ、２４Ｒと、燃焼状態を検知する熱電対を用いた炎検知器２５Ｌ、２５Ｒとを備え、アフターバーナ４にも同様の点火器２６と炎検知器２７とを備える。また、グリル庫内の温度を検出するグリル温度センサ２８も設けられる。
【００１９】
器体本体内には、グリル１の点消火を制御するコントローラ３０が設けられる。
このコントローラ３０には、上述した主電磁弁２０、流量調整弁２１、浄化用電磁弁２２、点火器２４Ｌ、２４Ｒ、２６、炎検知器２５Ｌ、２５Ｒ、２７、グリル温度センサ２８が接続されるとともに、器体正面に設けた操作表示パネル３が接続される。
【００２０】
この操作表示パネル３には、図３に示すように、グリル調理の開始／終了をコントローラに指令するための点消火スイッチ３１と、調理メニュー名を表示するメニュー表示器３２と、調理メニューを選択する選択スイッチ３３と、選択した調理メニューを確定させる確定スイッチ３４と、調理バーナ９の燃焼中つまり加熱調理中に点灯する燃焼ランプ３５と、調理メニューにかかわらずアフターバーナ４を強制的に燃焼させて煙の浄化を指示する強制浄化スイッチ３６と、アフターバーナ４の燃焼中に点灯する浄化ランプ３７と、調理完了時や異常検知時に使用者に報知するブザー３８とが設けられる。
操作表示パネル３に設けられる各スイッチは、フェザータッチ式のスイッチで、裏面の接点がＯＮしたときの信号の立ち上がりをコントローラ３０で検知するように構成されている。
【００２１】
この実施例のグリル１は、調理メニューに応じて調理バーナ９の加熱を制御して自動調理を行うもので、選択スイッチ３３を押す度にメニュー表示器３２に表示されるメニュー名が変更され、所望の調理メニュー名が表示された状態で確定スイッチ３４を押すことにより調理メニューが確定する。そして、点消火スイッチ３１を押すことにより、その調理メニューに応じた加熱調理が開始されるものである。
【００２２】
次に、コントローラ３０の実行する加熱調理制御について説明する。
図４は、コントローラの実行する加熱調理制御を表わすもので、点消火スイッチ３１が操作されると起動する。
点消火スイッチ３１が操作されて接点のオン信号が検出されると、調理バーナ９を点火する（Ｓ１）。つまり、主電磁弁２０を開弁するとともに、調理バーナ９の左右の点火器２４Ｌ、２４Ｒを作動させて調理バーナ９を点火する。
続いて、強制浄化スイッチ３６がオンされたか否かを判断し（Ｓ２）、強制浄化スイッチ３６がオンされていなければ選択されている調理メニューが魚調理かそれ以外かを判断する（Ｓ３）。
調理メニューが魚調理である場合には、アフターバーナ４を点火する（Ｓ４）。つまり、浄化用電磁弁２２を開弁するとともに、点火器２６を作動させてアフターバーナを点火する。また、このとき浄化ランプ３７を点灯させる（Ｓ５）
一方、魚調理ではないときは、（Ｓ３：ＮＯ）、こうしたステップ４、５の処理をスキップする。
【００２３】
続いて、調理メニューに応じた調理バーナ９による加熱制御を行う（Ｓ６）。
この加熱制御は、表１に示すように、調理メニュー毎に設定グリル温度と設定調理時間とが設定され、設定調理時間が経過するまでのあいだグリル温度センサ２８で検出した温度が設定グリル温度となるように流量調整弁２１の開度を調整して火力調整し、設定調理時間が経過した時に調理が完了したと判断するものである。
【００２４】
【表１】
2006055185.tif 000003
【００２５】
この加熱制御を行っているあいだは、常時、強制浄化スイッチ３６の状態および調理メニューの設定変更をチェックする。そして、途中で強制浄化スイッチ３６がオンされたときには、魚調理であればそのままアフターバーナ４の燃焼を継続させ、魚調理でなければアフターバーナ４を点火するとともに浄化ランプ３７を点灯させる。
また、加熱制御の途中で調理メニューが切り替わったときには、その調理メニューに応じて加熱制御を変更するだけでなく、アフターバーナ４の燃焼状態も調理メニューに応じたものに変更する。
つまり、魚調理に設定されればアフターバーナ４を燃焼状態にして浄化ランプ３７を点灯し、魚調理以外のメニューに設定されればアフターバーナ４を消火状態にし浄化ランプ３７を消灯する。
こうした処理を繰り返して設定調理時間が経過すると、調理が完了したと判断され（Ｓ７）、全てのバーナを消火するとともに、ブザー３８を鳴動して調理完了を報知し、浄化ランプ３７を消灯させる（Ｓ８）。
【００２６】
次に、このグリル１の煙浄化メカニズムについて説明する。
使用者の点火操作によりグリル庫８内の各調理バーナ９が燃焼を開始すると、燃焼により発生する高温排気がグリル庫８内に充満し被調理物Ｆを加熱する。この燃焼排気は、被調理物Ｆを加熱したのち排気ダクト１３に溢れてグリル庫８から排出されるが、このとき、被調理物Ｆから発生した煙も排気と一緒に排気ダクト１３に流れる。
アフターバーナ４は、この排気中に含まれる煙や臭い成分を焼いて消失させるとともに、触媒フィルター１５を加熱して活性化しその浄化機能を高める。
排気ダクト１３を流れる排気中に含まれる煙や臭い成分は、アフターバーナ４の火炎に接触してほとんど消失するが、完全には消失しきれない場合が有る。そこで、残りの煙や臭い成分を触媒フィルター１５に通過させて酸化することにより無臭無煙化が実現される。
【００２７】
以上説明した本実施例のグリルによれば、選択された調理メニューに応じて被調理物Ｆの加熱を制御するだけでなく、調理中に煙がほとんど発生しないような調理メニュー（例えば魚調理以外）が選択された場合には、アフターバーナ４の作動を停止することで、煙浄化に必要なエネルギーを節約することができる。
また、アフターバーナ４の燃焼により発生する熱の放出も防止され、排気温度の上昇による調理室の温度上昇、室内空気汚染といった環境の悪化も抑えることができる。
更に、使用者によっては、あるいは使用環境によっては、どうしても煙浄化機能を働かせたいというケースもあり、そうしたケースでは、強制浄化スイッチ３６を操作して、調理メニューにかかわらずアフターバーナ４を作動させることができ、随時、煙浄化機能が得られる。
この結果、調理メニューに応じて自動的に煙浄化機能が切り替わっても、使用者の好み、使用環境、調理方法に柔軟に対応させることができる。
また、アフターバーナ４は、排気通路に設けられるため燃焼状態を視認することができず、特に調理メニューに応じて作動させる場合には、煙浄化機能が働いているのか否か判りにくいが、アフターバーナ４の燃焼中には、浄化ランプ３７を点灯するため、使用者にとって作動状況が判りやすくなり使い勝手が良い。つまり、どの調理メニューの時に浄化機能が働くのか知っている必要がなく一目でその状態がわかるので、特に、強制浄化スイッチ３６を使用する際には、戸惑うことがない。
【００２８】
以上本発明の実施例について説明したが、本発明はこうした実施例に何等限定されるものではなく、本発明の要旨を逸脱しない範囲において、種々なる態様で実施し得ることは勿論である。
例えば、本実施例ではアフターバーナ４を燃焼させる条件として調理メニューが魚調理か否かをもって判断したが、加熱調理時における煙の発生量に応じて調理メニューをグループ分けして、煙発生量の多い第１グループではアフターバーナ等の煙浄化手段を作動させ、煙発生量の少ない第２グループでは煙浄化手段を作動させないようにしてもよい。
また、使用者が各メニューごとに煙浄化手段を作動させる第１グループと作動させない第２グループとに任意に設定する設定操作手段を設け、この設定されたグループ分けを記憶手段に記憶させて、使用者の好みに応じた設定で煙浄化機能を働かせるようにしてもよい。
更に、強制浄化スイッチ３６に代えて、スイッチ操作されたときには、浄化手段の作動状態を常に切り替えるようにしてもよい。例えば、浄化切替スイッチを備え、切替スイッチが操作されたときアフターバーナ４が燃焼中であればアフターバーナ４を消火し、アフターバーナ４が消火中であれば燃焼開始させるようにしてもよい。
また、アフターバーナ４へのガス供給路に流量調整弁を設けて、アフターバーナ４を完全に消火させずに、その火力を弱めるようにしてもよい。
また、煙浄化手段としては、アフターバーナ４や触媒フィルタ１５に限るものでなく電熱ヒータ等の他の手段を用いてもよい。
【産業上の利用可能性】
【００２９】
本発明は、ガステーブルコンロ、ガスビルトインコンロなどのグリルを組込んだガス器具だけでなく、魚焼器のようにグリル単体の調理器にも適用できる。
【図面の簡単な説明】
【００３０】
【図１】一実施例としてのガスグリルを搭載したビルトインコンロの概略斜視図である。
【図２】一実施例としてのガスグリルの側断面概略構成図である。
【図３】一実施例としてのガスグリルのシステム構成図である。
【図４】一実施例としての加熱調理制御を表わすフローチャートである。
【符号の説明】
【００３１】
１・・・グリル、３・・・操作表示パネル、４・・・アフターバーナ、８・・・グリル庫、９・・・調理バーナ、１３・・・排気ダクト、１５・・・触媒フィルタ、３０・・・コントローラ、３２・・・メニュー表示器、３３・・・選択スイッチ、３６・・・強制浄化スイッチ、３７・・・浄化ランプ、Ｆ・・・被調理物。
【図１】
2006055185.tif 000004
【図２】
2006055185.tif 000005
【図３】
2006055185.tif 000006
【図４】
2006055185.tif 000007